(57)【要約】【課題】リレーブロックとそれを装着する電気接続箱の小型化と汎用化を図る。【解決手段】カセットリレーブロック１の最も外側の外壁面５ａ，６ａよりも内側にロック部４を設け、カセットリレーブロック１を組付側の周壁１６〜１９で囲まれた空間内に挿入し、ロック部４と周壁側の被ロック部１０とで係止させる。組付側の周壁１６〜１９をカセットフレーム２として形成した。カセットフレームをカセットリレーブロック１やその他のカセット電装ブロックに対して共通使用する。カセットフレームをロック手段５で複数相互に結合し、複数のカセットフレームを接続箱本体に被ロック手段で結合して電気接続箱を構成する。【選択図】図１
2005086865.tif 000002
【特許請求の範囲】
【請求項１】
カセットリレーブロックの最も外側の外壁面よりも内側にロック部が設けられ、該カセットリレーブロックが、組付側の周壁で囲まれた空間内に挿入され、該ロック部と該周壁側の被ロック部とで係止されたことを特徴とするカセットリレーブロックの組付構造。
【請求項２】
前記ロック部と被ロック部とが、前記カセットリレーブロックに装着されるリレーの投影面積内に収められたことを特徴とする請求項１記載のカセットリレーブロックの組付構造。
【請求項３】
前記カセットリレーブロックの端子収容部が交差して配置され、端子収容部の交差する外壁面で囲まれた範囲内に前記ロック部が配置されたことを特徴とする請求項１又は２記載のカセットリレーブロックの組付構造。
【請求項４】
前記ロック部が可撓性のロックアームであることを特徴とする請求項１〜３の何れか１項に記載のカセットリレーブロックの組付構造。
【請求項５】
前記ロック部とは反対側で前記カセットリレーブロックと前記周壁との何れか一方にリブが設けられ、何れか他方に、該リブに対するスライド係合用のガイド溝が設けられたことを特徴とする請求項１〜４の何れか１項に記載のカセットリレーブロックの組付構造。
【請求項６】
前記組付側の周壁がカセットフレームとして形成されたことを特徴とする請求項１〜５の何れか１項に記載のカセットリレーブロックの組付構造。
【請求項７】
前記カセットフレームが前記カセットリレーブロックやその他のカセット電装ブロックに対して共通使用されることを特徴とする請求項６記載のカセットリレーブロックの組付構造。
【請求項８】
前記周壁の内面が前記リレーの投影面積内に収められたことを特徴とする請求項６又は７記載のカセットリレーブロックの組付構造。
【請求項９】
前記カセットフレームがロック手段で複数相互に結合され、複数のカセットフレームが接続箱本体に被ロック手段で結合されて電気接続箱を構成することを特徴とする請求項６〜８の何れか１項に記載のカセットリレーブロックの組付構造。
【発明の詳細な説明】
【技術分野】
【０００１】
本発明は、自動車等においてリレーブロックをカセット式に電気接続箱等に装着可能としたカセットリレーブロックの組付構造に関するものである。
【背景技術】
【０００２】
図１０は、従来のカセットリレーブロックの組付構造を備える電気接続箱の一例を示すものである（図１０に類似するものとして例えば特許文献１参照）。
【０００３】
このカセットリレーブロック７２は、図１０の円内に拡大図を示す如く、絶縁樹脂で外観略直方体状に形成され、雌型の端子７３（図１１）を下側から挿入係止させるための端子収容室７４を複数所要位置に配設し、両側の外壁面に、接続箱本体７９に対するロックアーム７５をそれぞれ設けて構成されるものである。端子収容室７４は上側のリレー端子挿入孔に続いている。本例のカセットリレーブロック７２は二つの異なるリレー挿着部８１，８２を有している。
【０００４】
図１１の如く、端子収容室７４内の雌型の端子７３に上方からリレー７６の雄型の端子７７が挿入接続される。雌型の端子７３は電線７８に圧着接続され、電線７８は例えば接続箱本体７９内のヒューズや外部の負荷に接続される。接続箱本体７９内の電線に代えてバスバーを用いることもある。
【０００５】
図１０の如く、合成樹脂製の接続箱本体７９には複数個・複数種のカセットリレーブロック７２がロックアーム７５で係止されている。接続箱本体７９は、カセットリレーブロック７２に対する挿入孔８３と、挿入孔８３の内壁面にロックアーム７５に対する係合突起（図示せず）とを有している。
【０００６】
電気接続箱７１にはカセットリレーブロック７２の他にヒューズ等の電気部品が装着されることも多い。接続箱本体７９と複数のカセットリレーブロック７２とヒューズ等で（少なくとも接続箱本体７９と複数のカセットリレーブロック７２とで）電気接続箱７１が構成される。
【特許文献１】特開２００３−１２５５１６号公報（第３〜４頁、図１）
【発明の開示】
【発明が解決しようとする課題】
【０００７】
しかしながら、上記従来のカセットリレーブロックの組付構造にあっては、カセットリレーブロックの外壁面にロックアームが突出し、且つ電気部品であるリレーの外形よりも外側に大きく突出するために、大きなロックスペースを必要とし、カセットリレーブロックとそれを収容する接続箱本体とが大型化するという問題があった。また、車種ごとに接続箱本体と複数種のカセットリレーブロックとを樹脂成形しなければならないために、多種の成型金型を必要とし、多くの製造コスト・製造納期がかかるという問題があった。
【０００８】
本発明は、上記した点に鑑み、ロック部に要する無駄なスペースをなくして小型化を可能とし、また、車種ごとの汎用性を高めて電気接続箱等の低コストで迅速な生産を可能とするカセットリレーブロックの組付構造を提供することを目的とする。
【課題を解決するための手段】
【０００９】
上記目的を達成するために、本発明の請求項１に係るカセットリレーブロックの組付構造は、カセットリレーブロックの最も外側の外壁面よりも内側にロック部が設けられ、該カセットリレーブロックが、組付側の周壁で囲まれた空間内に挿入され、該ロック部と該周壁側の被ロック部とで係止されたことを特徴とする。
【００１０】
上記構成により、電気接続箱のベースとなる接続箱本体の収容孔の周壁内や、接続箱本体に組み付けられるフレームの周壁内に、カセットリレーブロックがワンタッチで挿入係止される。そして、ロック部がカセットリレーブロックの外壁面よりも内側に収められており、外壁面から外側に突出しないから、カセットリレーブロックがコンパクト化される。
【００１１】
請求項２に係るカセットリレーブロックの組付構造は、請求項１記載のカセットリレーブロックの組付構造において、前記ロック部と被ロック部とが、前記カセットリレーブロックに装着されるリレーの投影面積内に収められたことを特徴とする。
【００１２】
上記構成により、例えば電気接続箱において複数のリレーが狭ピッチで配列され、電気接続箱の小型化が可能となる。
【００１３】
請求項３に係るカセットリレーブロックの組付構造は、請求項１又は２記載のカセットリレーブロックの組付構造において、前記カセットリレーブロックの端子収容部が交差して配置され、端子収容部の交差する外壁面で囲まれた範囲内に前記ロック部が配置されたことを特徴とする。
【００１４】
上記構成により、カセットリレーブロックの交差部外側のデッドスペースがロックスペースとして有効活用されて、カセットリレーブロックがスマート化・コンパクト化される。
【００１５】
請求項４に係るカセットリレーブロックの組付構造は、請求項１〜３の何れか１項に記載のカセットリレーブロックの組付構造において、前記ロック部が可撓性のロックアームであることを特徴とする。
【００１６】
上記構成により、撓みスペースを要する比較的大型のロックアームがデッドスペースの有効活用により無理なく配置される。ロックアームは撓み方向に押すことでロック解除が容易である。
【００１７】
請求項５に係るカセットリレーブロックの組付構造は、請求項１〜４の何れか１項に記載のカセットリレーブロックの組付構造において、前記ロック部とは反対側で前記カセットリレーブロックと前記周壁との何れか一方にリブが設けられ、何れか他方に、該リブに対するスライド係合用のガイド溝が設けられたことを特徴とする。
【００１８】
上記構成により、リブがガイド溝内にスライドしつつ係合して、周壁内でのカセットリレーブロックの位置決めとガタ付き防止とが行われる。リブやガイド溝がロック部とは反対側に配置されたことで、周壁内への挿入時にカセットリレーブロックの傾きが防止され、挿入がスムーズ且つ確実に行われる。
【００１９】
請求項６に係るカセットリレーブロックの組付構造は、請求項１〜５の何れか１項に記載のカセットリレーブロックの組付構造において、前記組付側の周壁がカセットフレームとして形成されたことを特徴とする。
【００２０】
上記構成により、カセットリレーブロックがカセットフレーム内に挿入係止され、カセットリレーブロックとカセットフレームとでリレーブロック組付体が構成される。カセットリレーブロックはカセットフレーム内で外部との干渉等から保護される。例えば複数のリレーブロック組付体を相互に結合させる等して、複数のカセットリレーブロックを並列に配置させることができる。
【００２１】
請求項７に係るカセットリレーブロックの組付構造は、請求項６記載のカセットリレーブロックの組付構造において、前記カセットフレームが前記カセットリレーブロックやその他のカセット電装ブロックに対して共通使用されることを特徴とする。
【００２２】
上記構成により、一種類のカセットフレームを共通に使用して、カセットリレーブロックやカセットヒューズブロックやリレー・ヒューズ混合ブロックといった種々のカセット電装ブロックを適宜組み付けることができる。例えば車種ごとに電気接続箱の仕様が変更された場合に、仕様に応じて所要のカセット電装ブロックを各カセットフレームに組み付けて、複数種の電装ブロック組付体を構成させ、各電装ブロック組付体を結合させる等して、所望の電装ブロック配列を得ることができる。
【００２３】
請求項８に係るカセットリレーブロックの組付構造は、請求項６又は７記載のカセットリレーブロックの組付構造において、前記周壁の内面が前記リレーの投影面積内に収められたことを特徴とする。
【００２４】
上記構成により、カセットフレーム内でロック部や被ロック部が省スペースで配置されることは勿論のこと、例えばカセットフレームを組み付けた電気接続箱において複数のリレーが狭ピッチで配列され、電気接続箱の小型化が可能となる。
【００２５】
請求項９に係るカセットリレーブロックの組付構造は、請求項６〜８の何れか１項に記載のカセットリレーブロックの組付構造において、前記カセットフレームがロック手段で複数相互に結合され、複数のカセットフレームが接続箱本体に被ロック手段で結合されて電気接続箱を構成することを特徴とする。
【００２６】
上記構成により、各カセットフレーム同士がロック手段で相互に結合されて、カセットフレーム内のカセットリレーブロックやカセットヒューズブロックといったカセット電装ブロックが一列ないし複数列に並列に配置される。カセットフレームとカセット電装ブロックとで成る電装ブロック組付体が複数連結されて、電装ブロック組付体群が構成される。電装ブロック組付体群はロアカバーといった接続箱本体内に収容係止され、リレーやヒューズ等と共に電気接続箱を構成する。
【発明の効果】
【００２７】
請求項１記載の発明によれば、ロック部をカセットリレーブロックの外壁面よりも内側に収めることで、カセットリレーブロックがコンパクト化されるから、カセットリレーブロックを組み付ける電気接続箱等の小型化とカセットリレーブロックの高密度配置が可能となる。
【００２８】
請求項２記載の発明によれば、電気接続箱等において複数のリレーが狭ピッチで配列され、電気接続箱の一層の小型化が可能となる。
【００２９】
請求項３記載の発明によれば、カセットリレーブロックの交差部外側のデッドスペースが有効活用されるから、カセットリレーブロックが確実にコンパクト化されると共に、樹脂成形金型の小型軽量化が可能となる。
【００３０】
請求項４記載の発明によれば、可撓性のロックアームでワンタッチで確実なロック力が得られると共にロック解除も容易で、カセットリレーブロックの着脱作業が容易化し、電気接続箱等の組付作業性やメンテナンス性が向上する。
【００３１】
請求項５記載の発明によれば、リブとガイド溝とのスライド係合で、周壁内への挿入時にカセットリレーブロックの傾きやガタ付き等が防止され、挿入がスムーズ且つ確実に行われるから、カセットリレーブロックの組付作業性が向上すると共に、車両等への組付後の振動による摩耗や異音等が防止される。
【００３２】
請求項６記載の発明によれば、取付側として接続箱本体の収容孔（空間）を用いずに、カセットフレーム内に収容孔（空間）を設けたことで、例えばカセットフレームとカセットリレーブロックとの組付体を複数相互に結合させる等により、複数のカセットリレーブロックを省スペースで容易に配列固定させることができる。
【００３３】
請求項７記載の発明によれば、一種類のカセットフレームを共通使用して、種々の電装ブロック組付体を容易に得ることができるから、電気接続箱等の仕様変更等に容易に且つ低コストで迅速に対応することができる。
【００３４】
請求項８記載の発明によれば、カセットフレームを用いた電気接続箱等において複数のリレーが狭ピッチで配列され、電気接続箱等の小型化が可能となる。
【００３５】
請求項９記載の発明によれば、例えば車種ごとに所要のカセット電装ブロックを組み合わせて異なる仕様の電気接続箱を容易に且つ低コストで迅速に形成することができ、電気接続箱の設計変更や新設に容易に対応することができる。
【発明を実施するための最良の形態】
【００３６】
図１は、本発明に係るカセットリレーブロックの組付構造の一実施形態を示すものである。
【００３７】
このカセットリレーブロックの組付構造は、単極のカセットリレーブロック１をそのロックアーム（ロック部）４で矩形枠状のカセットフレーム（組付側）２内に係止させるものである。カセットリレーブロック１とカセットフレーム２とでリレーブロック組付体３が構成される。
【００３８】
絶縁樹脂製のカセットリレーブロック１は略十字形状に前後左右の四方に突出した端子収容部５〜８を有し、左右何れか一方の端子収容部８の前後の外壁８ａに可撓性の一対のロックアーム４が突出して設けられ、各ロックアーム４は前後の端子収容部５，６の前後の最も外側の外壁面５ａ，６ａよりも内側に（前後の外壁面から前後方向外側に突出することなく）位置している。なお、前後左右の定義は説明の便宜上のものであり、カセットリレーブロック１の使用方向とは必ずしも一致するものではない。
【００３９】
ロックアーム４は端子収容部８の外壁８ａの上端側から一体に立ち上げられて下向き（垂直）に延び、下端側の自由端部に段差状の水平な係止面４ａを有し、係止面４ａの下側に係止解除用兼、カセットフレーム２側の係合突起（被ロック部）１０に対する押接用の垂直で短い薄肉部４ｂを一体に有している。ロックアーム４と端子収容部８の外壁面８ａとの間にはアーム撓み空間が形成され、ロックアーム４は内向きに撓み可能である。
【００４０】
各ロックアーム４の側面は前後の端子収容部５，６の側壁（外壁面）５ｂ，６ｂに隣接し、各ロックアーム４の外壁面４ｃは前後の端子収容部５，６の外壁面５ａ，６ａよりも内側に（ロックアーム４を立ち上げた外壁面８ａ寄りに）位置している。交差方向に隣接する端子収容部６，８の交差する外壁面６ｂ，８ａで囲まれた矩形状の範囲内にロックアーム４が収められている。
【００４１】
各ロックアーム４の左右両側には、保護用及びカセットフレーム２への挿入時の案内用の各一対のリブ１１が前後に突出して設けられ、ロックアーム４は一対のリブ１１の内側に収容されて、外部との干渉等から保護されている。ロックアーム４とは反対側の左右いずれか他方の端子収容部７の壁部７ａにも、カセットフレーム２への挿入時の案内用のリブ１２が前後に突出して設けられている。
【００４２】
各端子収容部５〜８の内側（端子収容室）には、雌型の端子（図示せず）に対する可撓性の係止ランスが設けられ、下側から雌型の端子を挿入して係止可能である。端子収容室の上端には、雌型の端子に対するストッパ壁１３が設けられ、ストッパ壁間の狭い孔部１４に上方からリレー（図示せず）の雄型の端子が挿入されて、雌型の端子に接続される。
【００４３】
カセットフレーム２は合成樹脂で矩形筒状に形成され、上下端に開口１５を有している。カセットフレーム２の前後左右の壁部（周壁）１６〜１９で囲まれた空間内に下方からカセットリレーブロック１が挿入係止される。上部開口１５には、カセットリレーブロック１に対するストッパ壁２０が設けられている。
【００４４】
本例のカセットフレーム２は、十字形状のカセットリレーブロック１の前後の端子収容部５，６に対する収容凹部２１，２２を前後の壁部１６，１７に膨出形成させている。収容凹部２１，２２からカセットリレーブロック１の前後の端子収容部５，６の側面５ｂ，６ｂに沿う案内用の各リブ２３が突出形成されている。また、カセットリレーブロック１のロックアーム４とは反対側の一対のリブ１２に対して、カセットフレーム２内に案内用の一対のリブ２４が突出形成されている。カセットリレーブロック１の両側のリブ１１，１２とカセットフレーム２のリブ２３，２４とでカセットフレーム内にカセットリレーブロック１が位置ずれや傾きなくスムーズ且つ確実に挿入される。
【００４５】
ロックアーム４の係止面（係止段部）４ａに対応してカセットフレーム２の前後の壁部１６，１７の内面に係合突起１０が設けられている。係合突起１０は上向きの水平な係合面１０ａと下向きの傾斜ガイド面１０ｂとを有している。カセットフレーム２内に下方から挿入されたカセットリレーブロック１のロックアーム４は係合突起１０の傾斜ガイド面１０ｂに沿って摺接しつつ内向きに撓み、カセットリレーブロック１の上端がカセットフレーム２のストッパ壁２０に当接すると同時にロックアーム４が弾性的に復帰して、ロックアーム４の係止面４ａと係合突起１０の係合面１０ａとが当接して、カセットリレーブロック１がカセットフレーム２内に確実に固定される。
【００４６】
カセットフレーム２の形状は図１の形態に限らず、図２に示すように完全な矩形筒状としてもよい。むしろ図２のように凹凸のない完全な矩形筒状とすることで、種々の形状のカセットリレーブロック１等に対応することができる。図２のカセットフレーム２５は図１のカセットフレーム２の前後の収容凹部２１，２２の外壁面２１ａ，２２ａを左右に延長して平坦な外表面の前後の壁部２６，２７とし、前後の壁部間の距離すなわち内側の収容スペースを図１のカセットフレーム２よりも拡大したものである。図２のカセットリレーブロック１は図１のものと同じであり、カセットリレーブロック１とカセットフレーム２５とでリレーブロック組付体３３1が構成される。
【００４７】
図２の如く、カセットリレーブロック１がカセットフレーム２５内に収容係止される。図２において図１と同じ構成作用部分には同じ符号を付して詳細な説明を省略する。符号４はロックアーム、１０は係合突起、１１〜１２，２３〜２４はガイドリブ、２８は端子係止ランスである。カセットフレーム２５のリブ２３，２４は図１のリブよりも内向きに延長されている。アーム側方のリブ１１，２３は相互に接してカセットリレーブロック１の挿入時の傾きを防止する。カセットフレーム２５のリブ２４と壁部１８との間のガイド溝２９内にカセットリレーブロック１のリブ１２が挿入されることで、カセットリレーブロック１の挿入性が高まると共に、左右逆組付が防止される。
【００４８】
図３にハッチングでリレー３０の投影面積部分を示す如く、カセットリレーブロック１の前後一対のロックアーム４はリレー３０の投影面積内に収められている。リレー３０の投影面積は、矩形状のカセットフレーム２５の前後左右の壁部２６〜２７，１８〜１９で囲まれた面積にほぼ等しい。カセットフレーム２５の周状の壁部２６〜２７，１８〜１９はリレー３０の投影面積内にほぼ収められている。
【００４９】
十字形状のカセットリレーブロック１の四隅（二隅）のデッドスペース３１を有効利用してロックアーム４を設けたことにより、カセットリレーブロック１とそれを収容するカセットフレーム３，２５とが小型化されている。それにより、リレー３０の投影面積内にカセットリレーブロック１がほぼ収められている。一対のロックアーム４の突出方向（前後方向）のカセットリレーブロック１の幅寸法はリレー３０の投影面積内に確実に収められている。
【００５０】
図４〜図７は、図２のカセットフレーム２５を共通使用してそれぞれ異なる形態のカセットリレーブロック又はカセットヒューズブロックを収容係止させた例を示すものである。カセットリレーブロックやカセットヒューズブロックを総称してカセット電装ブロックと呼称する。図２と同じ構成作用部分には同じ符号を付して詳細な説明を省略する。
【００５１】
図４のカセットヒューズブロック３４は四つのヒューズ装着部３５を並列に且つ一体に有したものであり、一対のロックアーム４は右端のヒューズ装着部にほぼ対応して前後の壁部３６に突設されている。各ヒューズ装着部３５は前後一対の端子収容部３７を有し、一対の端子収容部内には正負二極の端子が収容される。端子収容部３７の上側に前後一対のヒューズ案内壁３８が設けられている。案内壁３８に沿ってブレード型のヒューズ（図示せず）が挿着される。ロックアーム４の両側及びアーム反対側の壁部にはそれぞれリブ１１〜１２，２３〜２４が突設されている。カセットヒューズブロック３４とカセットフレーム２５とでヒューズブロック組付体３３2が構成される。
【００５２】
図５のカセット電装ブロック３９はリレー装着部４０とヒューズ装着部３５とを一つずつ長手方向（左右）に並列に一体に配設したものであり、右側のヒューズ装着部３５に対応して前後の壁部４２にロックアーム４が突設されている。ロックアーム４の両側及びアーム反対側の壁部にはそれぞれリブ１１〜１２，２３〜２４が突設されている。カセット電装ブロック３９とカセットフレーム２５とで電装ブロック組付体３３3が構成される。
【００５３】
図６のカセットヒューズブロック４３は左右二つの大型（電源用）のヒューズ装着部４４を並列に一体に配設したものであり、右側のヒューズ装着部４４に対応して前後の壁部４５にロックアーム４が突設されている。各ヒューズ装着部４４は各一対の端子収容部４６を有している。ロックアーム４の両側及びアーム反対側の壁部にはそれぞれリブ１１〜１２，２３〜２４が突設されている。カセットヒューズブロック４３とカセットフレーム２５とでヒューズブロック組付体３３4が構成される。
【００５４】
図７のカセットリレーブロック４７は大型のヒューズ装着部４４を一つと小型のヒューズ装着部３５を二つ並列に一体に配設したものであり、右側のヒューズ装着部３５に対応して前後の壁部４８にロックアーム４が突設されている。ロックアーム４の両側及びアーム反対側の壁部にはそれぞれリブ１１〜１２，２３〜２４が突設されている。カセットヒューズブロック４７とカセットフレーム２５とでヒューズブロック組付体３３5が構成される。
【００５５】
図２〜図７の如く、一種類のカセットフレーム２５を共用して複数種のカセット電装ブロック１，３４，３９，４３，４７を収容係止させることで、たとえば自動車用の電気接続箱の回路仕様の変更に容易に低コストで迅速に対応することができる。
【００５６】
なお、図１〜図７の例において、ロックアーム４をカセット電装ブロック１，３４，３９，４３，４７ではなくカセットフレーム２，２５の内壁面に設け、係合突起１０をカセットフレームではなくカセット電装ブロックに設けることも可能である。
【００５７】
また、ロック手段（ロック部材）として、ロックアーム４に突起を設け、突起を係合させる係合凹部を係合突起１０に代えて設けたり、ロックアーム４や係合突起１０等に代えて、係止突起と係合突起、可撓性の係止爪と係合凹部といった種々の形態のものを適宜使用可能である。
【００５８】
また、カセットフレーム２，２５を用いずに例えば電気接続箱（図示せず）の合成樹脂製の接続箱本体に、カセットフレーム２，２５の内壁面と同様の形態の内壁面と係合突起１０とを有する収容孔を設けておき、収容孔内にカセット電装ブロック１，３４，３９，４３，４７を直接に挿入係止させるようにすることも可能である。また、カセットフレーム２，２５の上端ではなく下端にストッパ２０を設けておき、カセット電装ブロック１，３４，３９，４３，４７を上方からカセットフレーム内に挿入することも可能である。
【００５９】
図８は、上記同様のカセットリレーブロック１とカセットフレーム５２とで成る同一形状のリレーブロック組付体５１を複数相互に結合させる構造の一例を示すものである。カセットリレーブロック１の全体構造やカセットフレーム５２の内部構造は前例同様であるので詳細な説明を省略する。
【００６０】
カセットフレーム５２は前後左右の壁部５３の外面にロック部（ロック手段）５４をそれぞれ有している。各カセットフレーム５２のロック部５４が相互に結合可能となっている。ロック部５４の形状はカセットフレーム５２ごとに同一であることがカセットフレームの共用化の点から好ましい。ロック部５４として雄・雌のロック部（図示せず）を一つのカセットフレーム５２に形成し、一方のカセットフレーム５２の雌型のロック部に他方のカセットフレーム５２の雄型のロック部を係合させることも可能である。ロック部５４はスライド係合部と係止部とで構成されることが好ましい。図８で示すロック部５４の形状はあくまでも一例である。
【００６１】
カセットフレーム５２内にはカセットリレーブロック１がそのロックアーム４で係止されている。カセットリレーブロック１に代えて図４〜図７のようなカセットヒューズブロック等３４，３９，４３，４７を用いることも可能である。
【００６２】
図９は、上記複数のリレーブロック組付体５１を相互に結合させた状態で接続箱本体内に挿入係止させて、電気接続箱５５を形成する構造を示すものである。
【００６３】
接続箱本体は合成樹脂製の有底のロアカバー５６とアッパカバー５７とで構成され、ロアカバー５６の内壁面５７に各リレーブロック組付体５１のカセットフレーム５２のロック部５４に対する被ロック部（被ロック手段）５８が設けられ、ロアカバー５６の外壁面５９にアッパカバー５７のロック部６０に対する被ロック部６１が設けられている。ロアカバー５６のみでも接続箱本体と呼称する。
【００６４】
図９で示すロック部５４，６０や被ロック部５８，６１はあくまでも一例である。例えばカセットフレーム５２のロック部５４が雄型である場合、ロアカバー５６の被ロック部５８は雌型となる。各被ロック部５８の形状は同一である。被ロック部５８はロック部５４に対応してスライド係合部と係止部（図示せず）とで構成されることが好ましい。被ロック部５８は共通のカセットフレーム５２に対応して等ピッチで並列に設けられている。一例としてアッパカバー５７のロック部６０はロックアーム、ロアカバー５６の被ロック部６１はロックアーム６０の突起を係合させる係合枠部である。壁部５９の内面に同様の被ロック部５８を設けてもよい。
【００６５】
各カセットフレーム５２内にはカセットリレーブロック１に代えて図４〜図７のヒューズブロック等３４，３９，４３，４７を適宜挿着することも可能である。各カセット電装ブロック１，３４，３９，４３，４７内の雌型の端子から導出された電線（図示せず）はロアカバー５６の孔部（図示せず）からワイヤハーネスとして外部に導出される。
【００６６】
電装ブロック組付体５１の集合体である電装ブロック組付体群をロアカバー５６内に収容係止させた後、各カセット電装ブロック１にリレーやヒューズを装着して、アッパカバー５７を閉止する。接続箱本体５６，５７と各電装ブロック組付体５１とリレーやヒューズ等の電気部品とで電気接続箱５５が構成される。
【００６７】
なお、複数の電装ブロック組付体５１を結合させた状態でロアカバー５６内に一括して装着するのではなく、電装ブロック組付体５１を一つづつロアカバー５６の被ロック部５８にスライド結合させ、それと同時にロアカバー内の隣接の電装ブロック組付体５１にスライド結合させることも可能である。
【００６８】
また、カセットフレーム５２の形状は数種類設定しておき、カセットリレーブロック１やカセットヒューズブロック等３４，３９，４３，４７の形状に応じて数種類のカセットフレーム５２を共通で使い分けることも可能である。
【００６９】
また、カセットフレーム５２を用いずに、ロアカバー（接続箱本体）５６に予めカセットフレーム２，５２に相当する収容孔を有する部分（図示せず）を複数一体に設けておき、各収容孔に電装ブロック組付体１，３４，３９，４３，４７を挿入係止させることも可能である。
【図面の簡単な説明】
【００７０】
【図１】本発明に係るカセットリレーブロックの組付構造の一実施形態を示す分解斜視図である。
【図２】カセットリレーブロックをカセットフレームに組み付けた状態の一例を示す平面図である。
【図３】同じくカセットリレーブロックの組付構造におけるリレーの装着投影面積をハッチングで示す平面図である。
【図４】共通のカセットフレームに他のカセットヒューズブロックを装着した例を示す平面図である。
【図５】同じく共通のカセットフレームに他のカセット電装ブロックを装着した例を示す平面図である。
【図６】同じく共通のカセットフレームにその他のカセットヒューズブロックを装着した例を示す平面図である。
【図７】同じく共通のカセットフレームにその他のカセットヒューズブロックを装着した例を示す平面図である。
【図８】リレーブロック組付体を相互に結合する構造を示す分解斜視図である。
【図９】複数のリレーブロック組付体を備える電気接続箱の一実施形態を示す分解斜視図である。
【図１０】従来のカセットリレーブロックを備える電気接続箱の一例を示す平面図（円内はカセットリレーブロックの拡大図）を示す平面図である。
【図１１】従来のカセットリレーブロックとリレーの接続形態の一例を示す縦断面図である。
【符号の説明】
【００７１】
１                      カセットリレーブロック
２，２５，５２          カセットフレーム
４                      ロックアーム（ロック部）
５〜８                  端子収容部
５ａ，６ａ              外壁面
６ｂ，８ａ              外壁面
１０                    係合突起（被ロック部）
１６〜１９              周壁
１８，１９，２６，２７  周壁
２４                    リブ
２９                    ガイド溝
３０                    リレー
３４，３９，４３，４７  カセット電装ブロック
５４                    ロック部（ロック手段）
５５                    電気接続箱
５６                    ロアカバー（接続箱本体）
５８                    被ロック部（被ロック手段）
【図１】
2005086865.tif 000003
【図２】
2005086865.tif 000004
【図３】
2005086865.tif 000005
【図４】
2005086865.tif 000006
【図５】
2005086865.tif 000007
【図６】
2005086865.tif 000008
【図７】
2005086865.tif 000009
【図８】
2005086865.tif 000010
【図９】
2005086865.tif 000011
【図１０】
2005086865.tif 000012
【図１１】
2005086865.tif 000013